(57)【要約】【課題】従来に無い改良された燃焼芯構造体であって、燃焼芯構造体が有する芯保持部材に審美性を付与することが容易となる燃焼芯構造体を提供する。また、このような燃焼芯構造体を備えるキャンドルを提供する。【解決手段】キャンドルに使用される燃焼芯構造体であって、燃焼剤が収容される容器の底部に少なくとも一部が当接可能な開口縁部、前記開口縁部から上方に立設する周壁部、及び、前記周壁部の上方を覆う天井部を有する芯保持部材と、一方端にストッパー部材が設けられる紐状の燃焼芯とを備えており、前記天井部には、前記燃焼芯が挿通可能であり、かつ、前記ストッパー部材が挿通不可能な貫通孔が形成されており、前記ストッパー部材が、前記周壁部及び前記天井部で囲まれた領域に配置され、かつ、前記燃焼芯が前記貫通孔に挿通されて構成される燃焼芯構造体。【選択図】図１
2018178049.tif 000002
【特許請求の範囲】
【請求項１】
キャンドルに使用される燃焼芯構造体であって、
燃焼剤が収容される容器の底部に少なくとも一部が当接可能な開口縁部、前記開口縁部から上方に立設する周壁部、及び、前記周壁部の上方を覆う天井部を有する芯保持部材と、
一方端にストッパー部材が設けられる紐状の燃焼芯とを備えており、
前記天井部には、前記燃焼芯が挿通可能であり、かつ、前記ストッパー部材が挿通不可能な貫通孔が形成されており、
前記ストッパー部材が、前記周壁部及び前記天井部で囲まれた領域に配置され、かつ、前記燃焼芯が前記貫通孔に挿通されて構成される燃焼芯構造体。
【請求項２】
前記開口縁部は、複数の突出部を備えている請求項１に記載の燃焼芯構造体。
【請求項３】
前記周壁部及び前記天井部の少なくともいずれか一方は、装飾部を備えている請求項１又は２に記載の燃焼芯構造体。
【請求項４】
請求項１から３のいずれかに記載の燃焼芯構造体と、燃焼剤とを備えるキャンドル。
【請求項５】
前記燃焼剤は、透明ろうそく用組成物から形成されている請求項４に記載のキャンドル。
【請求項６】
キャンドルに使用される燃焼芯構造体であって、
一方端にストッパー部材が設けられる紐状の燃焼芯と、芯保持部材とを備えており、
前記ストッパー部材は、燃焼剤が収容される容器の底部に載置可能なプレート部材と、前記プレート部材から立設し前記燃焼芯の一方端を固定する固定部とを備え、
前記芯保持部材は、前記プレート部材に少なくとも一部が当接して載置される開口縁部、前記開口縁部から上方に立設する周壁部、及び、前記周壁部の上方を覆う天井部を有しており、
前記天井部には、前記燃焼芯が挿通される貫通孔が形成されており、
前記周壁部及び前記天井部の少なくともいずれか一方は、装飾部を備えていることを特徴とする燃焼芯構造体。
【発明の詳細な説明】
【技術分野】
【０００１】
本発明は、燃焼芯構造体及びこの燃焼芯構造体を備えるキャンドルに関するものである。
【背景技術】
【０００２】
従来から、電灯にはない気持ちの安らぎをもたらす軟らかな雰囲気をつくることができるキャンドル照明というものがあり、様々なキャンドルが知られている。このようなキャンドルは、例えば、図６に示すように、有底の容器１００と、この容器１００内に配置される燃焼芯構造体１０１及び燃焼剤１０２とにより構成されている。燃焼芯構造体１０１は、燃焼芯１０３と、該燃焼芯１０３の一方端を容器底部近傍に配置するための座金１０４とを備えて構成されている。
【０００３】
ここで、座金１０４は、容器の底部に載置されるプレート部材１０５と、当該プレート部材１０５の中央部に立設し燃焼芯１０３の一方端が挿入されるパイプ状の固定部１０６とを備えて構成されており、パイプ状の固定部１０６に挿入された燃焼芯１０３の一方端を固定部１０６の外側から押圧し該固定部１０６を変形させてかしめることにより、燃焼芯１０３と座金１０４とが一体化されて燃焼芯構造体１０１が構成されている。
【０００４】
【発明の概要】
【発明が解決しようとする課題】
【０００５】
従来からキャンドルの外観や色等については様々なものが存在する一方、燃焼芯構造体としては、上述のように、プレート部材と、当該プレート部材の中央部から立設するパイプ状の固定部とを備える芯保持部材に燃焼芯を一体化したものが知られているにすぎず、燃焼芯構造体として、更なる改良が望まれていた。
【０００６】
また、キャンドルに収容される燃焼剤については、近年、透明ろうそく用組成物から形成されているものも知られており、従来の燃焼芯構造体を使用して透明なキャンドルを形成する場合、キャンドル外部からプレート部材とパイプ状の固定部とにより構成された芯保持部材が見えてしまい、美観上の観点からも改良が望まれていた。
【０００７】
本発明は、このような観点からなされたものであって、従来に無い改良された燃焼芯構造体であって、燃焼芯構造体が有する芯保持部材に審美性を付与することが容易となる燃焼芯構造体を提供することを目的とする。また、このような燃焼芯構造体を備えるキャンドルを提供することを目的とする。
【課題を解決するための手段】
【０００８】
本発明の上記目的は、キャンドルに使用される燃焼芯構造体であって、燃焼剤が収容される容器の底部に少なくとも一部が当接可能な開口縁部、前記開口縁部から上方に立設する周壁部、及び、前記周壁部の上方を覆う天井部を有する芯保持部材と、一方端にストッパー部材が設けられる紐状の燃焼芯とを備えており、前記天井部には、前記燃焼芯が挿通可能であり、かつ、前記ストッパー部材が挿通不可能な貫通孔が形成されており、前記ストッパー部材が、前記周壁部及び前記天井部で囲まれた領域に配置され、かつ、前記燃焼芯が前記貫通孔に挿通されて構成される燃焼芯構造体により達成される。
【０００９】
また、この燃焼芯構造体において、前記開口縁部は、複数の突出部を備えていることが好ましい。
【００１０】
また、前記周壁部及び前記天井部の少なくともいずれか一方は、装飾部を備えていることが好ましい。
【００１１】
また、本発明の上記目的は、上述の燃焼芯構造体と、燃焼剤とを備えるキャンドルにより達成される。
【００１２】
このキャンドルにおいて、前記燃焼剤は、透明ろうそく用組成物から形成されていることが好ましい。
【００１３】
また、本発明の上記目的は、キャンドルに使用される燃焼芯構造体であって、一方端にストッパー部材が設けられる紐状の燃焼芯と、芯保持部材とを備えており、前記ストッパー部材は、燃焼剤が収容される容器の底部に載置可能なプレート部材と、前記プレート部材から立設し前記燃焼芯の一方端を固定する固定部とを備え、前記芯保持部材は、前記プレート部材に少なくとも一部が当接して載置される開口縁部、前記開口縁部から上方に立設する周壁部、及び、前記周壁部の上方を覆う天井部を有しており、前記天井部には、前記燃焼芯が挿通される貫通孔が形成されており、前記周壁部及び前記天井部の少なくともいずれか一方は、装飾部を備えていることを特徴とする燃焼芯構造体により達成される。
【発明の効果】
【００１４】
本発明によれば、従来に無い改良された燃焼芯構造体であって、燃焼芯構造体が有する芯保持部材に審美性を付与することが容易となる燃焼芯構造体を提供することができる。また、このような燃焼芯構造体を備えるキャンドルを提供することができる。
【図面の簡単な説明】
【００１５】
【図１】本発明の一実施形態に係る燃焼剤構造体を示す概略構成断面図である。
【図２】図１に示す燃焼剤構造体を備えるキャンドルを示す概略構成断面図である。
【図３】図１に示す燃焼剤構造体の変形例を示す概略構成断面図である。
【図４】本発明に係る燃焼剤構造体が有する芯保持部材の一例を示す外観写真画像である。
【図５】図２に示すキャンドルの変形例を示す概略構成断面図である。
【図６】従来の燃焼剤構造体を示す概略構成断面図である。
【発明を実施するための形態】
【００１６】
以下、本発明の一実施形態に係る燃焼芯構造体及び該燃焼芯構造体を有するキャンドルについて添付図面を参照して説明する。なお、各図面は、構成の理解を容易にするため、実寸比ではなく部分的に拡大又は縮小されている。図１は、本発明の一実施形態にかかる燃焼芯構造体１を示す概略構成断面図であり、図２は、この燃焼芯構造体１を有するキャンドル１０を示す概略構成断面図である。図１に示すように、本発明に係る燃焼芯構造体１は、燃焼芯２と、芯保持部材３とを備えて構成されている。また、キャンドル１０は、有底の容器８と、当該容器８内に収容される燃焼剤９と、図１に示す燃焼芯構造体１とを備えて構成されている。
【００１７】
燃焼芯２は、紐状（線状）に形成される部材であり、その一方端にストッパー部材２１２１が一体的に設けられている。燃焼芯２としては、例えば、可燃性植物繊維を主体とした公知の材料から形成されている。ストッパー部材２１は、例えば金属材料から形成された筒状体として構成することができ、筒状体の内部に燃焼芯２の一方端を挿入した後、筒状体の外側から筒状体を押圧して変形させることによりかしめて、燃焼芯２とストッパー部材２１とを一体化することができる。なお、ストッパー部材２１の形態としては、筒状体に限定されるものでは無く、例えば、ストッパー部材２１をリング状に形成し、リング状のストッパー部材２１に対して燃焼芯２の一方端を結束するようにして、燃焼芯２とストッパー部材２１とを一体化してもよい。
【００１８】
芯保持部材３は、図１や図２に示すように、燃焼剤９が収容される容器８の底部に少なくとも一部が当接可能な開口縁部４と、開口縁部４から上方に立設する周壁部５と、周壁部５の上方を覆う天井部６とを有して構成されている。天井部６には、紐状の燃焼芯２が挿通可能であり、かつ、ストッパー部材２１が挿通不可能な貫通孔７が形成されている。この芯保持部材３は、金属材料から形成されることが好ましい。また、芯保持部材３を安定的に容器８の底部に載置するという観点から、容器８の底部と接する開口縁部４は、その最大径が、例えば、１０ｍｍ以上となるように設定することが好ましい。
【００１９】
また、燃焼芯構造体１は、上述の燃焼芯２と、芯保持部材３とを組み合わせることにより構成されている。具体的には、燃焼芯２の他方端（ストッパー部材２１が設けられていない側の端部）を、芯保持部材３における周壁部５及び天井部６で囲まれた内側領域を介して貫通孔７に挿通させて、ストッパー部材２１が、芯保持部材３における周壁部５及び天井部６で囲まれた内部領域に配置された状態となるように組み合わせられる。組み合わされた状態においては、芯保持部材３が、燃焼芯２に吊り下げられて状態となる。
【００２０】
ここで、芯保持部材３の形態としては、開口縁部４と、当該開口縁部４から上方に立設する周壁部５と、当該周壁部５を覆う天井部６とを備えて内部に空間を有するものであれば、特に限定されず、例えば、筒状体やドーム状体、底部に開口を有し内部空間を備える三角錐状体や円錐状体、多角柱状体等種々の形態を採用することができる。なお、底部に開口を有し内部空間を備える三角錐状体等の場合、底部の開口の周りの縁が、開口縁部４を構成する。また、芯保持部材３の形態によっては（例えば、三角錐状態や円錐状体等）、明確に周壁部５と天井部６とを区別しにくいものも存在するが、頂部に形成される貫通孔７の周辺領域が天井部６となり、貫通孔７の周辺領域以外であって下方の開口縁部４に連なる部分が周壁部５となる。また、芯保持部材３の形成方法は特に限定されず、例えば、底部に開口を有し内部空間を備える円錐状体の芯保持部材３を形成する場合、扇形のプレート状体を準備し、直線状の２辺が互いに対向するようにプレート状体を湾曲させることにより形成することができる。このような場合、周壁部５が存在しない一本の線状の隙間が形成されることとなるが特に問題とはならない。なお、周壁部５が存在しない一本の線状の隙間が形成されないように、対向配置された直線状の２辺同士を重ね合わせて互いに固定するように構成してもよい。
【００２１】
また、図１や図２においては、芯保持部材３における開口縁部４の全領域が、燃焼剤９が収容される容器８の底部に当接するような形態として、芯保持部材３を構成しているが、このような構成に特に限定されず、芯保持部材３の開口縁部４を容器８の底部に載置する場合に芯保持部材３が安定した姿勢となるならば、開口縁部４の全領域が容器８の底部に当接するように構成する必要はなく、燃焼剤９が収容される容器８の底部に、開口縁部４の少なくも一部が当接するように構成してもよい。例えば、図３に示すように、該開口縁部４の一部分が半円形状に下方（天井部６とは反対側の方向）に突出する突出部４１を複数有するように開口縁部４を構成し、複数の点（半円形状の突出部４１の各頂点部分）が容器８の底部に当接するように構成してもよい。なお、突出部４１の形態については半円形状に限定されず、例えば、逆三角形状、四角形状、棒状等種々の形態を採用することができる。
【００２２】
また、芯保持部材３を構成する周壁部５及び天井部６の少なくともいずれか一方は、装飾部を備えるように構成することができる。装飾部の具体的形態については限定されないが、例えば、周壁部５や天井部６の表面に接着剤を介して固定されるビーズや貝殻、ハート形や花等を模した部品を装飾部とすることができる。また、図４に示すように、周壁部５や天井部６自体に複数の穴を形成したり、周壁部５等の一部の表面に浮き彫り加工を施すことによって表された幾何学模様を装飾部とすることもできる。なお、図４は、本発明の発明者が試作した芯保持部材３のサンプル外観写真画像である。また、周壁部５や天井部６自体に複数の穴を形成したり周壁部５等の表面の一部に浮き彫り加工を施すことにより表された花柄、ハート形、ダイヤ形、星形等の図形を装飾部とすることもできる。
【００２３】
また、キャンドル１０が備える燃焼剤９は、従来から公知の種々のキャンドル１０用の燃焼剤９を使用することができる。また、燃焼剤９は、自立性のある硬質な固形状の燃焼剤９であってもよく、また、自立性に乏しい液状・ゼリー状の燃焼剤９であってもよい。また、燃焼剤９としては、透明な燃焼剤９を用いるのが好ましい。透明な燃焼剤９としては、例えば、ジブロック・トリブロックからなる高分子エラストマーを固形化剤に使用した透明ろうそく用組成物から形成される公知の燃焼剤９や、ゲル化剤（固形化剤）として熱可塑性ポリアミドを、可燃性溶剤（可燃性液体）として脂肪酸、アルコール、エステル等を使用した透明ろうそく組成物から形成される公知の燃焼剤９を用いることができる。また、燃焼剤９には、添加剤として、芳香剤、着色剤、酸化防止剤、安定剤、防虫剤、難燃性付与剤等を配合して様々な機能を付加してもよい。
【００２４】
また、本発明に係るキャンドル１０は、従来から公知の種々の方法にて製造することができる。例えば、有底の容器８内における底部中央部に、燃焼芯２を保持した状態で芯保持部材３を載置しつつ、液体状のろうそく用組成物（燃焼剤９）を注入していき、その後、ろうそく用組成物（燃焼剤９）を固化（或いはゲル化）させることにより製造することができる。なお、図２に示すキャンドルの概略構成断面図においては、ストッパー部材２１が、芯保持部材３の内部領域に浮いた状態で示されているが、このような態様に限定されず、ストッパー部材２１が、容器８の底部に接するような態様でキャンドルが構成されてもよい。
【００２５】
本発明に係る燃焼芯構造体１が有する芯保持部材３は、上述のように、例えば、透明な燃焼剤９が収容される容器８の底部に少なくとも一部が当接する開口縁部４、該開口縁部４から上方に立設する周壁部５を備えるように構成されていることから、周壁部５に取り付けられるビーズや貝殻といった装飾部を広い範囲で芯保持部材３に取り付けることができ、使用者に対して高い審美性や美観をアピールしやすくなる。また、周壁部５自体に複数の穴を形成したり、周壁部５等の表面の一部に浮き彫り加工を施すことによって表された幾何学模様や花柄模様を装飾部として構成する場合であっても、幾何学模様等を広い範囲で大きく分かりやすく形成することが可能となり、使用者に対して審美性等をアピールしやすくなる。このように、本発明に係る燃焼芯構造体１が備える芯保持部材３は、容易に高い審美性を付与することが可能なものとなる。なお、従来の芯保持部材３は、燃焼芯２と略同径のパイプ状の固定部を有するものであることから、パイプ状の固定部の表面に取り付けられるビーズ等の数に限界があり、高い審美性を使用者にアピールすることができず、更に、幾何学模様等をパイプ状の固定部表面に形成することは極めて困難であり、仮に幾何学模様等を表せたとしても極端に小さく使用者に幾何学模様を認識させることができない。
【００２６】
また、本発明に係る燃焼芯構造体１が有する芯保持部材３は、開口縁部４が、容器８の底部と当接するように構成されていることから、例えば、キャンドル１０に点火してその使用を継続し、燃焼剤９の表面に芯保持部材３が露出しかけている状態となった場合であっても、キャンドル１０の火の熱が芯保持部材３に伝わって容器８底面の温度が高温となることを効果的に防止することができる。なお、従来の芯保持部材３は、容器８の底部に載置されるプレート部材を有するようにして構成されているため、容器８底部との接触面積が大きく、燃焼剤９の表面に芯保持部材３（パイプ状の固定部）が露出しかけている状態となった場合に、キャンドル１０の火の熱がパイプ状の固定部を介してプレート部材に伝わって広い範囲で容器８底面の温度が高くなってしまう。このように、本発明に係る燃焼芯構造体１によれば、燃焼剤９が収容される容器８の底面の温度が高温になることを効果的に抑制することができる。
【００２７】
また、図３に示すように、開口縁部４が、下方（天井部６とは反対側の方向）に突出する突出部４１を有するように構成する場合、開口縁部４と容器８の底部との接触面積を大幅に減じることができるため、例えば、キャンドル１０に点火してその使用を継続し、燃焼剤９の表面に芯保持部材３が露出しかけている状態となった場合であっても、キャンドル１０の火の熱が芯保持部材３に伝わって容器８底面の温度が高温となることをより一層効果的に防止することができる。
【００２８】
また、キャンドル１０は、例えば、容器８の内部の所定個所（通常は中央部）に燃焼芯構造体１の芯保持部材３を載置しつつ、液体状の燃焼剤９を容器８内に注ぎ入れて入れて形成されるが、開口縁部４が下方（天井部６とは反対側の方向）に突出する突出部４１を有するように構成する場合、突出部４１同士の間の隙間と容器８の底部との間に形成される連通部を介して、芯保持部材３における周壁部５及び天井部６で囲まれた内部領域に液体状の燃焼剤９を速やかに進入させることができ、キャンドル１０製作の作業性を向上させることができる。
【００２９】
また、本発明に係る燃焼芯構造体１は、芯保持部材３の上部に形成された貫通孔７に、ストッパー部材２１付きの燃焼芯２を通して組み立てることができるように構成されているため、例えば、使用者自らがキャンドル１０を製作する場合に、自身の好みに応じた装飾部を有する芯保持部材３を自由に選択してオリジナルのキャンドル１０を製作することが可能となり、キャンドル１０製作に大きな楽しみや喜びを付加することができる。
【００３０】
また、本発明に係る燃焼芯構造体１は、芯保持部材３の上部に形成された貫通孔７に、ストッパー部材２１付きの燃焼芯２を通して組み立てることができるように構成されているため、キャンドル１０の使用を継続していき容器８内の燃焼剤９が無くなった場合、燃焼芯構造体１からストッパー部材２１付きの使用済みの燃焼芯２を取り外すことにより、芯保持部材３を再利用することが可能となる。
【００３１】
以上、本発明の一実施形態に係る燃焼芯構造体１について説明したが、燃焼芯構造体１の具体的構成は、上記実施形態に限定されない。例えば、燃焼芯２の一方端に設けられるストッパー部材２１として、例えば図６に示される従来からあるプレート部材１０５と、当該プレート部材１０５の中央部に立設し燃焼芯１０３の一方端が挿入されるパイプ状の固定部１０６とを有する座金１０４を用いて、燃焼芯構造体１を構成してもよい。
【００３２】
また、上記座金１０４をストッパー部材２１として活用する場合、プレート部材１０５が、芯保持部材３の内側領域（周壁部５及び天井部６で囲まれた内側領域）に収容され、外部からプレート部材１０５が視認されにくいように構成することが好ましいが、例えば、図５に示すように、座金１０４が有するプレート部材１０５上に、芯保持部材３の開口縁部４の少なくとも一部が当接して載置されるようにして、燃焼芯構造体１を構成し、キャンドル１０を作成してもよい。このよう場合であっても、芯保持部材３の周壁部５及び天井部６の少なくともいずれか一方に装飾部を形成することにより、審美性に優れた燃焼芯構造体１やキャンドル１０を容易に製作することが可能となる。
【００３３】
また、上記実施形態においては、キャンドル１０が、有底の容器８と、当該容器８内に収容される燃焼剤９と、燃焼芯構造体１とを備えるように構成されているが、例えば、燃焼剤９及び燃焼芯構造体１からなる構造物を容器８から取り出したものをキャンドル（容器無しキャンドル）として構成してもよい。
【符号の説明】
【００３４】
１  燃焼芯構造体
２  燃焼芯
２１  ストッパー部材
３  芯保持部材
４  開口縁部
４１  突出部
５  周壁部
６  天井部
７  貫通孔
８  容器
９  燃焼剤
【図１】
2018178049.tif 000003
【図２】
2018178049.tif 000004
【図３】
2018178049.tif 000005
【図４】
2018178049.tif 000006
【図５】
2018178049.tif 000007
【図６】
2018178049.tif 000008